(57)【要約】【課題】動画を生じさせる冊子の構造を簡略化し、大量生産を実現する。【解決手段】１枚のシート材を折り畳んで構成される折丁１１に動画生成要素２０ａ固定してなる特殊折丁。動画構成要素２０ａは、フィルムゲージ４５を保持するフィルムゲージ保持区画２１と、ベース区画と、折丁１１に固定されるストローク付与区画と、下絵フラップ２４とで構成される。この動画構成要素２０ａを折丁１１の折り畳んだ１辺に沿って固定することで、中綴じ製本用の特殊折丁とすることができ、したがって、冊子の構造が簡単で、大量生産が可能となる。製本された冊子において折丁１１で構成されるページを捲ると、折丁１１に固定されたストローク付与区画２３が共に移動し、これと連動して下絵フラップ２４がフィルムゲージ４５に対して相対的にスライドして、上記動画が生じる。【選択図】図９
2010120364.tif 000002
【特許請求の範囲】
【請求項１】
複合画像（２６）で構成される下絵が表示された下絵フラップ（２４）と、当該下絵に対応するフィルムゲージ（４５）とを重ね、両者を相対的にスライド移動させることで、動画を生じさせる動画生成要素（２０ａ）を、１枚のシート材を折り畳んで構成される折丁（１１）に固定してなる特殊折丁であって、
動画構成要素（２０ａ）は、折罫を介して一列に連設された第１〜第４区画で構成され、
第１区画（２１）は、フィルムゲージ（４５）を保持するフィルムゲージ保持区画（２１）を構成し、
第３区画（２３）は、上記折丁（１１）に固定されるストローク付与区画（２３）を構成し、
第４区画（２４）は、下絵フラップ（２４）を構成し、
下絵フラップ（２４）が第２区画（２２）上に折り返されるとともに、当該下絵フラップ（２４）をスライド可能に挟み込むように、フィルムゲージ保持区画（２１）が折り返されて第２区画（２２）上に固定されるとともに、
動画構成要素（２０ａ）は、ストローク付与区画（２３）を上記折丁（１１）の折り畳んだ１辺（１１ａ、１１ａ’）に沿って固定することで、当該折丁（１１）に固定されており、
製本された冊子において上記折丁（１１）で構成されるページを捲ると、当該折丁（１１）に固定されたストローク付与区画（２３）が共に移動し、これと連動して下絵フラップ（２４）がフィルムゲージ（４５）に対して相対的にスライドして、上記動画が生じることを特徴とする、特殊折丁。
【請求項２】
上記動画構成要素（２０ａ）は、折丁（１１）の外表面において、上記１辺（１１ａ）に沿って固定されていることを特徴とする、請求項１記載の特殊折丁。
【請求項３】
上記動画構成要素（２０ａ）は、折丁（１１）の内表面において、上記１辺（１１ａ’）に沿って固定されていることを特徴とする、請求項１記載の特殊折丁。
【請求項４】
上記折丁は、冊子の表紙（３０）を構成するもので、冊子を閉じた場合にも動画構成要素（２０ａ）が外部から視認可能とする窓（３１）を有していることを特徴とする、請求項３記載の特殊折丁。
【請求項５】
上記動画構成要素（２０ａ）の下絵フラップ（２４）は、ストローク付与区画（２３）に連設される根元部（２４ａ）においては、当該ストローク付与区画（２３）の全幅に渡って延在するとともに、根元部とは反対側の自由端部（２４ｂ）においては、上記全幅よりも短い寸法を有し、根元部（２４ａ）と自由端部（２４ｂ）の両端同士を直線（２４ｃ）で結んだ台形形状を為すことを特徴とする、請求項１〜４のいずれか１つに記載の特殊折丁。
【請求項６】
請求項１〜５のいずれか１つに記載の特殊折丁を含めて中綴じ製本されたことを特徴とする、冊子。
【発明の詳細な説明】
【技術分野】
【０００１】
本発明は、中綴じ製本されて冊子を構成する特殊折丁に関する。本発明の特殊折丁は、複合画像で構成される下絵の上で、フィルムゲージをスライド移動させることで、絵が動いているかの如き視覚的効果を与える。
さらに本発明は、この特殊折丁を含めて中綴じ製本された冊子に関する。この冊子は、例えば、簡易な雑誌、カタログ、パンフレットとして好適に使用できる。
【背景技術】
【０００２】
「下絵」と「フィルムゲージ」を利用して、パラパラ漫画とよく似た原理で、あたかも絵が動いているかのような視覚的効果を与える技術は、従来から知られている（例えば、特許文献１、２）。その原理を簡単に説明すると、次の通りである。
【０００３】
≪画素が２つの場合：図１、図２≫
図１は、「複合画像で構成される下絵」の作成原理を示している。ここでは、複合画像は、２つの画素から構成される。まず、画素１、２をそれぞれ等間隔“α”で間引いて、「残像」と「欠け」が繰り返す中間画素を作成する。次に、中間画像１の「欠け」部分に、中間画像２の「残像」部分が一致するようにして、両者を組み合わせて複合画像を作成する。
【０００４】
一方、図２に示したフィルムゲージは、透明の基材上に「黒塗りの細長い帯状領域」を等間隔で印刷したものであって、「帯状領域の幅」と「各帯状領域間の間隔」とが等しい（共に“α”）。
このフィルムゲージを複合画像上に重ね合わせて、両者を相対的にスライドさせると、図２に示したように、中間画素１の「残像」がフィルムゲージ上の各帯状領域間の透明領域にきたときに星形模様が視認される（Ａ）。
一方、中間画素２の「残像」がフィルムゲージ上の各帯状領域間の透明領域にきたときに丸形模様が視認される（Ｂ）。
【０００５】
以上の相対スライド動作を適度な速度で行うと、人間の目には、あたかも星形模様と丸形模様が動的に変化しているかのように視認される。
【０００６】
≪画素が３つの場合：図３、図４≫
以上に説明した画素が２つの場合は、（ｉ）画素を間引く際の「残像」と「欠け」の幅寸法を等しくし（“α”）、かつ、（ii）フィルムゲージ上の「帯状領域の幅」および「各帯状領域間の間隔」を共にこの“α”と等しくしている。
【０００７】
画素が３つの場合は、図３、図４に示したように、（ｉ）画素を間引く際に、「欠け」の幅寸法“β”を「残像」の幅寸法“γ”の２倍とし、（ii）フィルムゲージ上における「帯状領域の幅」を「欠け」の幅寸法“β”に等しく、「各帯状領域間の間隔」を「残像」の幅寸法“γ”に等しくする。
「欠け」の幅寸法“β”が「残像」の幅寸法“γ”の２倍であるため、中間画素１の「欠け」部分に他の２つの中間画素２、３の「残像」を収めることができ、したがって、３つの画素からなる複合画像を作成することができる。
【０００８】
そして、図４に示したように、中間画素１の「残像」がフィルムゲージ上の各帯状領域間の透明領域にきたときに星形模様が視認される（Ａ）。中間画素２の「残像」がフィルムゲージ上の各帯状領域間の透明領域にきたときに丸形模様が視認される（Ｂ）。中間画素３の「残像」がフィルムゲージ上の各帯状領域間の透明領域にきたときに菱形模様が視認される（Ｃ）。
【０００９】
同様の考え方で、画素が４つ、５つの場合にも、複合画像および対応するフィルムゲージを作成できる。
【００１０】
以上に説明した例では、ストライプ状のフィルムゲージを使用しているが、格子状のフィルムゲージと、これと対応する下絵とを利用して、同様の視覚的効果を与える構成も知られている。
ストライプ状のフィルムゲージの場合には、視覚的効果を得るために「下絵」と「フィルムゲージ」を相対移動させる方向は、ストライプに直交する１方向に限られる。これに対して、格子状のフィルムゲージの場合には、タテ、ヨコ、ナナメのいずれの方向に相対移動させた場合であっても、視覚的効果を得ることができる。
【００１１】
【特許文献１】特表２００７−５２６５００号
【特許文献２】実用新案登録第３０９５２６５号
【発明の開示】
【発明が解決しようとする課題】
【００１２】
上記視覚的効果によって得られる動画を利用して冊子を構成すれば販売促進効果を高めることが期待できるが、その反面、構造が複雑であるため大量生産が難しいという問題がある。
【００１３】
したがって、本発明の目的は、動画を生じさせる冊子について、簡易で大量生産に適した具体的な構造を提供することである。
【課題を解決するための手段】
【００１４】
本発明は、上記課題を有効に解決するために創案されたものであって、次の特徴を備えた特殊折丁を提供する。
本発明の特殊折丁は、「複合画像で構成される下絵が表示された下絵フラップと、当該下絵に対応するフィルムゲージとを重ね、両者を相対的にスライド移動させることで、動画を生じさせる動画生成要素」を、「１枚のシート材を折り畳んで構成される折丁」に固定して構成される。
動画構成要素は、折罫を介して一列に連設された第１〜第４区画で構成される。第１区画は、「フィルムゲージを保持するフィルムゲージ保持区画」を構成する。第３区画は、「上記折丁に固定されるストローク付与区画」を構成する。第４区画は、下絵フラップを構成する。
下絵フラップが第２区画上に折り返されるとともに、当該下絵フラップをスライド可能に挟み込むように、フィルムゲージ保持区画が折り返されて第２区画上に固定されている。さらに、動画構成要素は、ストローク付与区画を上記折丁の折り畳んだ１辺に沿って固定することで、当該折丁に固定されている。
製本された冊子において上記折丁で構成されるページを捲ると、当該折丁に固定されたストローク付与区画が共に移動し、これと連動して下絵フラップがフィルムゲージに対して相対的にスライドして、上記動画が生じる。
【００１５】
「下絵」は、例えば図１〜４で説明したような「残像」と「欠け」で構成される複数の画素から作成される複合画像である。また、下絵に「対応するフィルムゲージ」とは、複合画像の「残像」および「欠け」に対応した「透明領域」および「不透明領域」を含み、相対スライドによって動画を生じさせるフィルムゲージを意味する。
また、フィルムゲージは、ストライプ状および格子状のいずれであってもよく、対応する下絵（複合画像）と相対スライドすることで動画を生じさせる。
【００１６】
本発明においては、動画構成要素は、折丁の外表面において、上記１辺に沿って固定されていることが、製造工程上好ましい。しかし、折丁の内表面側に動画構成要素を固定することも可能である。
【００１７】
また本発明により、上記特殊折丁を用いて中綴じ製本した冊子が提供される。この冊子においては、特殊折丁に対応するページを捲る動作と連動して下絵フラップがフィルムゲージに対して相対的にスライドし、これにより上記動画が生じる。
【発明の効果】
【００１８】
本発明では、冊子において動画を生じさせる要素を特殊折丁として提供しているので、大量生産が容易となる。すなわち、「１枚のシートを折り畳んで構成される折丁」に対して動画生成要素を固定しているので、当該折丁を開いた状態で集積すれば、通常の中綴じ製本による生産ラインに乗せて、大量生産することが可能となる。
中綴じ製本は、数ページで構成される簡易冊子に適した製本手法であり、したがって、パンフレットや、無料配布冊子として、低コストで大量に生産することができる。
【００１９】
特に、動画生成要素の下絵フラップが、ストローク付与区画に連設される根元部においては、当該ストローク付与区画の全幅に渡って延在するとともに、根元部とは反対側の自由端部においては、上記全幅よりも短い寸法を有し、根元部と自由端部の両端同士を直線で結んだ台形形状を為す場合には、特殊折丁自体も機械的に折り畳んで組み上げることが容易となり、大量生産という意味でさらに好ましい。
【発明を実施するための最良の形態】
【００２０】
本発明の実施形態を添付の図面を参照して以下に詳細に説明する。図５は、本発明の一実施形態に係る冊子の構造を説明する斜視図である。
【００２１】
≪冊子全体の概略構造：図５≫
冊子は、針金１５を用いて中綴じ製本されたものであって、図５（ａ）では、センター折丁１０に対応するページが開かれている。数ページ捲っていくと、特殊折丁２０に対応したページが現れ、ここに動画が生じる。
この冊子の代表的な製本工程を、図６を参照して説明する。本発明では、動画を生じさせる要素が特殊折丁２０として提供されるため、一般的な大量生産ラインにのせて、動画を生じさせる冊子を製造することが可能となる。
【００２２】
≪冊子の製造工程：図６≫
冊子は、「センター折丁１０」、「中間折丁１１」、「特殊折丁２０」、「表紙３０」から、次の工程（１）〜（３）により中綴じ製本される。
なお、センター折丁１０および中間折丁１１という場合の「センター」、「中間」という語は、単に位置関係を表す言葉であり、折丁１０、１１の物理的な構造は同じである。一方、「特殊折丁２０」とは、他の折丁１０、１１に対して、「別の特殊な機能」を有する折丁という意味であって、後述するように、物理的構造が異なる。本発明における「別の特殊な機能」とは、動画を生じさせる機能である。
【００２３】
（１）集積工程
複数の折丁１０、１１を集積した上に表紙３０を乗せる。すなわち、集積コンベヤの上に、まずセンター折丁１０を置き、その上に複数の中間折丁１１を乗せ、その中に特殊折丁２０を１つ（または複数）含めておく。最後に、表紙３０を乗せて、次の工程に移行する。
【００２４】
なお、図６の例では、各折丁１０、１１は、１枚のシート材を単に２つ折りしたものとして描いているが、４つ折り（あるいはそれ以上）であってもよい。後述する断裁工程が最後に行われるので、４つ折り以上の折丁を用いた場合でも、冊子として製本できる。
また、図６において、中間折丁１１が複数存在するが、中間折丁を１つだけにすることも可能である。その場合は、特殊折丁２０を中間折丁とする。
【００２５】
（２）針金綴じ工程
集積された「センター折丁１０」、「中間折丁１１（特殊折丁２０を含む）」、「表紙」に対して、針金１５を用いて針金綴じを行う。
【００２６】
（３）断裁工程
針金１５で固定された１辺を除いた、他の３辺に対して、カッター機構を用いて裁断を行う。これで、中綴じ製本が完了して、冊子が構成される。
【００２７】
≪動画生成要素２０ａの構成：図７≫
後述するように、特殊折丁２０は、「折丁１１」に「動画生成要素２０ａ」を固定して構成される。まず、図７を参照して動画生成要素２０ａの構造を説明する。動画生成要素２０ａは、折罫ａ、ｂ、ｃを介して一列に連設された第１区画２１、第２区画２２、第３区画２３、第４区画２４からなる１枚のブランクで構成される（図７ａ）。
【００２８】
第２区画２２はベース区画を構成し、下に説明するように、このベース区画２２の両サイドに、フィルムゲージ保持区画２１およびストローク付与区画２３が連設される。
【００２９】
ベース区画２２に対して、図７ａ中左側に連設された第１区画２１は、フィルムゲージ保持区画を構成する。
すなわち、フィルムゲージ保持区画２１には、矩形の開口２１ａが形成されていて、この開口２１ａを塞ぐようにして、フィルムゲージ４５が貼り付けられる。
【００３０】
ベース区画２２に対して、図７ａ中右側に連設された第３区画２３は、折丁１１の外表面に固定されるストローク付与区画を構成する。
ストローク付与区画２３は、糊などを用いて折丁１１の外表面に固定され、当該区画２３の幅寸法に応じたスライドストローク量を下絵フラップ２４に与える。詳しくは後述する。
【００３１】
ストローク付与区画２３に対して、図７ａ中右側に連設された第４区画２４は下絵フラップ２４を構成する。この下絵フラップ２４上に複合画像２６が表示される。複合画像２６は、下絵フラップ２４上に直接印刷されていても、別のシート片に印刷したものを貼り付けてもよい。
【００３２】
動画生成要素２０ａを組み立てるには、まず、下絵フラップ２４をベース区画２２上に折り返えす。次に、下絵フラップ２４をスライド可能に挟み込むように、上方からフィルムゲージ保持区画２１を折り返して、ベース区画２２上に貼付・固定する。このとき、フィルムゲージ保持区画２１は、ベース区画２２の側方領域２２ａに貼り付けられ、したがって、台形形状の下絵フラップ２４は、貼付後においても、ベース区画２２とフィルムゲージ保持区画２１とに挟まれた状態を保ってスライド移動が可能となる。
なお、折罫ａのやや内側領域においても、フィルムゲージ保持区画２１とベース区画２２を接着固定しておくことが好ましく、これにより裁断工程で折罫ａに沿う側辺領域を裁断した後でも、ベース区画２２とフィルムゲージ保持区画２１の自由端を接着固定した状態を保つことができる。
【００３３】
≪下絵フラップ２４の台形形状について≫
図示した実施形態では、動画生成要素２０ａを含んだ冊子を大量生産にさらに適したものとするために、下絵フラップ２４の形状を富士山のような台形形状としている。
すなわち、図７に示したように、下絵フラップ２４は、ストローク付与区画２３に連設される根元部２４ａにおいては、ストローク付与区画２３の全高に渡って延在する（製本後の冊子の天地方向全体に渡って延在する）。一方、根元部２４ａとは反対側の自由端部２４ｂは、下絵フラップ２４のスライド移動を可能とするために、根元部２４ｂよりも短い寸法を有する。
そして、根元部２４ａと自由端部２４ｂの両端同士をそれぞれ直線２４ｃで結び、全体として台形形状を為している。
【００３４】
これには、次のような理由がある。製本機械を用いて動画生成要素２０ａを折り畳む際には、まず機械のアームが自由端部２４ｂを掴んで下絵フラップ２４を折り返す（この工程は、図示していない）。このとき、下絵フラップ２４は湾曲アーチ状に折り返された状態にあるが、その後、折罫ｂ、ｃに沿って機械的に鋭角の折り目が付けられる。つまり、機械アームが摘むのは幅狭の自由端部２４ｂだけであるが、このアームによる摘み力を幅広の根元部２４ａ全体に良好に伝えるには、自由端部２４ｂの両端を根元部２４ａの両端まで直線２４ｃで連結し、全体として台形形状とすることが好ましい。
直線２４ｃが内側に入り込むと、アームによる摘み力が根元部２４ａの両端領域に良好に伝わらず、良好に折り返すことができない。一方、直線２４ｃが外側に膨出すると、特殊折丁２０の組立後において、下絵フラップ２４のスムーズなスライド移動を阻害してしまう。
下絵フラップ２４を直線で囲まれた台形形状とすることで、いずれの不都合もなく、機械による大量生産を実現することが可能となる。
【００３５】
≪特殊折丁２０の構成：図８≫
特殊折丁２０は、図７で説明した「動画生成要素２０ａ」を「折丁１０」に固定して構成される。
図８に示した代表的な製造工程に沿って説明すると、まず、折り畳んだ折丁１１の外表面の１辺１１ａに糊を塗布して、この上に動画生成要素２０ａを置く。このとき、折丁１１上の糊が塗布された１辺領域１１ａに対して、ストローク付与区画２３を貼り合わせるようにする。すなわち、図７（ｃ）に示した動画生成要素２０ａの上面が、図８の製造工程図では、下方を向いていることとなる。次に、重ね合わせた端部をローラで圧接して、接着強度を高める。
以上で、図８（ｂ）に示した特殊折丁２０となる。
【００３６】
その後、折り畳まれた折丁部分１１を開いた状態を図８（ｃ）に示している。さらに、開いた折丁部分１１を下方側に向けて鞍状にしたのが図８（ｄ）で、これが図６中の集積工程に示した特殊折丁２０に対応している。
このように、本発明の特殊折丁２０は、中綴じ製本による製造ラインに乗せることができるよう構成されたものである。中綴じ製本は、数ページで構成される簡易冊子に適した製本手法であり、したがって、パンフレットや、無料配布冊子として、低コストで大量に生産することができる。
【００３７】
なお、図８（ａ）に示した製造工程から分かるように、動画生成要素２０ａは、折り畳まれた折丁１１に対して上方から位置合わせされる。つまり、製造を簡単にするという観点からは、動画生成要素２０ａは、折丁１１の外表面側において、１辺１１ａに沿って固定されることが好ましい。
【００３８】
≪特殊折丁２０の別構成：図１０≫
ただし、別の製造工程を採用すれば、折丁１１を開いたときに露出する内面側で、当該１辺１１ａに沿う領域に動画生成要素２０ａのストローク付与区画２３を貼り合わせることも可能である。その例を、図１０を参照して説明する。
【００３９】
図１０に示した別の製造工程は、（ｂ）段階までは、図８に示したものと同じである。ただし、動画生成要素２０ａのストローク付与区画２３を貼り付ける領域（折丁１１の１辺）を符号１１ａ’で示している。これは、次のことを意図している。
すなわち、図１０（ｂ）の工程において折丁１１を反転させるので、最終的に１辺１１ａ’は、折丁１１の内表面側に沿う１辺となる。先に説明した図８の製造工程では、１辺１１ａは最後まで折丁１１の外表面側に位置する。図１０において最終的に折丁１１の内表面に位置する１辺１１ａ’をこれと区別するために、符号１１ａと１１ａ’を使い分けている。
図１０（ｄ）において、折丁１１の内表面側に動画生成要素２０ａが固定されていることが最も良く現れている。下方に向かって鞍状に開いた折丁部分１１は、図８（ｄ）の場合と同様に、図６中の集積工程に示した特殊折丁２０に対応している。
【００４０】
また、図１１を参照して後述するが、動画生成要素２０ａが折丁１１の内表面側に位置するので、表紙３０の内側に動画生成要素２０ａを配置することも可能となる。
【００４１】
≪生じる動画との関係：図９≫
図９は、製本後の冊子１８と、生じる動画との関係を示している。特殊折丁２０を構成する折丁１１および動画生成要素２０ａに対応するページを捲る動作に伴って、下絵フラップ２４がフィルムゲージ４５に対して相対的にスライド移動し、これによって、視覚的効果を利用した動画が現れる。図９では、３つの画素から構成される動画の一例を示しているが、具体的な図柄や画素の数は、任意に設定することができる。
生じる動画を、当該冊子の内容あるいは出版社と関連付けたものとすることで、宣伝効果あるいは販売促進効果を高めることができる。この関連性は、当該冊子の内容や出版社に直接関連するものに限られず、広い意味で何らかの関連があればよい。
【００４２】
≪格子状のフィルムゲージ≫
本発明においては、ストライプ状のフィルムゲージ４５に限らず、格子状のフィルムゲージ４５’を採用することも可能である（図７中の円内）。勿論、その場合には、下絵２６は、これに対応して動画を生じさせるものが採用される。
ストライプ状のフィルムゲージ４５の場合、一方向の相対スライドによって動画が生じるが、格子状のフィルムゲージ４５’の場合、タテ、ヨコ、ナナメのいずれの方向に相対スライドした場合でも動画が生じる。これは、動画生成要素２０ａあるいは特殊折丁２０の組立て精度が高くなく、相対スライド方向が予定の一方向から逸れた場合でも動画に変化が生じるという点で有効である。
【００４３】
≪下絵フラップとフィルムゲージとの密着性を高めるための構成：図９≫
さらに本発明においては、特殊折丁２０の動画生成要素２０ａにストローク付与区画２３を設けていることに起因して、下絵フラップ２４とフィルムゲージ４５との密着性が高まるというメリットがある。
一般的に、下絵フラップ２４とフィルムゲージ４５を重ねて相対スライドさせることで動画を生じさせる場合、両者の隙間が大きいと、動画がボヤケて見えることがある。動画をクリアにするためには、下絵フラップ２４とフィルムゲージ４５が適度に圧接することが好ましい。
【００４４】
図９に部分的に拡大して示したように、ストローク付与区画２３が存在するが故に、下絵フラップ２４は、折丁１１で構成される紙面において、折罫ｂから一定距離“Ｌ”だけ離れた位置から立ち上がることとなる（オフセットされている）。これにより、下絵フラップ２４をフィルムゲージ４５に対して圧接させる力が生じる。つまり、下絵フラップ２４とフィルムゲージ４５が適度に密着して、クリアな動画を得ることができる。
【００４５】
≪冊子の表紙内面側に特殊折丁を固定した例：図１１≫
図１１は、冊子と生じる動画との関係を示しており図９に対応するものであるが、冊子の表紙３０内面側に動画生成要素２０ａが固定されている点が異なる。このように冊子を構成するためには、図１０で説明した製造工程と同様の考え方で、表紙３０の内面側に動画生成要素２０ａを固定し、当該表紙３０を図６の集積工程に示したように、最上部に集積すればよい。
なお、図１１に示した例では、表紙３０に窓（開口部）３１を形成している。これにより、冊子を閉じた場合にも動画構成要素が外部から視認可能となる。すなわち、冊子を閉じた場合にも、開いた場合にも、動画を外部から視認可能となり、販売促進効果を高めることが期待できる。
【図面の簡単な説明】
【００４６】
【図１】２つの画素から動画を生じさせる原理を示す説明図。
【図２】２つの画素から動画を生じさせる原理を示す説明図。
【図３】３つの画素から動画を生じさせる原理を示す説明図。
【図４】３つの画素から動画を生じさせる原理を示す説明図。
【図５】本発明の一実施形態に係る冊子の構造を説明する斜視図。
【図６】図５の冊子の代表的な製造工程を説明する図。
【図７】動画生成要素を説明する図。
【図８】特殊折丁の代表的な製造工程を説明する図。
【図９】図５の冊子と生じる動画との関係を説明する図。
【図１０】特殊折丁の別の製造工程を説明する図。この工程では、折丁の内表面側に動画構成要素を固定することで、特殊折丁を構成する。
【図１１】表紙の内表面側に特殊折丁を固定した場合において、冊子と生じる動画との関係を説明する図。
【符号の説明】
【００４７】
１０、１１  折丁
１５  針金
１８  冊子
２０  特殊折丁
２０ａ  動画生成要素
２１  フィルムゲージ保持区画（第１区画）
２１ａ  開口
２２  ベース区画（第２区画）
２３  ストローク付与区画（第３区画）
２４  下絵フラップ（第４区画）
２６  複合画像
３０  表紙
３１  窓
４５  フィルムゲージ
【図１】
2010120364.tif 000003
【図２】
2010120364.tif 000004
【図３】
2010120364.tif 000005
【図４】
2010120364.tif 000006
【図５】
2010120364.tif 000007
【図６】
2010120364.tif 000008
【図７】
2010120364.tif 000009
【図８】
2010120364.tif 000010
【図９】
2010120364.tif 000011
【図１０】
2010120364.tif 000012
【図１１】
2010120364.tif 000013